(57)【特許請求の範囲】
【請求項１】
不規則形状及び中空状を呈するチャックと、
中空状の管体であり、前記チャックに取り付けられ、異軸部と、握持部と、末端部を備え、該異軸部の一端がチャックに組み合わされ、該異軸部における、チャックと反対する他端に異軸突起が設けられ、該握持部は、異軸部の異軸突起の近傍に連接されるように、異軸部と異なる軸線上に設けられ、該末端部は、握持部における、異軸部と反対する一端に取り付けられる、ケースと、
前記異軸部の側壁から突出して離れる方向に斜めに延設される、少なくとも１つの第１指受け部と、を有することを特徴とする握持を容易にする異軸ペン。
【請求項２】
少なくとも１つの第２指受け部を有し、該少なくとも１つの第２指受け部は、中指が宛がわれるように、ケースにおける異軸部と握持部にまたがる位置に設けられることを特徴とする請求項１に記載の握持を容易にする異軸ペン。
【請求項３】
２つの前記第２指受け部を有し、該２つの第２指受け部がそれぞれ２つの方向に斜めに向かうと共に、互いに組み合わせるように形成されることを特徴とする請求項２に記載の握持を容易にする異軸ペン。
【請求項４】
前記ケースの異軸部及び握持部はそれぞれ組立てにより構成され、
前記少なくとも１つの第２指受け部は異軸部に設けられ、
前記異軸部と握持部との間に、少なくとも１つのリングが設置され、該リングに前記第２指受け部が設けられることを特徴とする請求項３に記載の握持を容易にする異軸ペン。
【請求項５】
前記少なくとも１つの第２指受け部が凹面であることを特徴とする請求項２乃至４の何れか１項に記載の握持を容易にする異軸ペン。
【請求項６】
２つの前記リングを有し、
２つの前記第２指受け部を有し、
該リングに前記第２指受け部が設けられ、該２つの第２指受け部がハート状となるように互いに組み合わされることを特徴とする請求項４に記載の握持を容易にする異軸ペン。
【請求項７】
前記ケースに少なくとも１つの滑り止め部が設置され、該少なくとも１つの滑り止め部は、異軸部と握持部との接触箇所から握持部へ延出するように設けられ、その厚さは握持部へ行くにつれて次第に厚くなり、幅は握持部へ行くにつれて次第に広くなることを特徴とする請求項１乃至３の何れか１項に記載の握持を容易にする異軸ペン。
【請求項８】
前記チャックは、先端部及び連接部を備え、該先端部を貫通するように先端開口が形成され、該チャックの外周面に突出縁が形成され、該先端開口と連通すると共に突出縁を貫通するように挿設穴が形成され、また、該連接部の断面面積が先端部の断面面積よりも大きく、該チャックにフランジが設けられ、
前記ケースの異軸部がフランジに当接するようにチャックの連接部に組み合わされ、該異軸部の壁を貫通するように異軸部の中空部分と連通する固定穴が形成され、
クリップが、着脱可能にチャック及びケースに取り付けられ、固定凸部及び挿設凸部を備え、該固定凸部は、異軸部の固定穴に挿設され、該挿設凸部は、前記クリップにおける、固定凸部と反対する端に設けられ、且つ突出縁の挿設穴に挿設されることを特徴とする請求項１に記載の握持を容易にする異軸ペン。
【請求項９】
キャップが、チャックに組み合わされ、チャックを収納するための開口端を備え、該開口端と反対する他端にスタイラス部が設置されることを特徴とする請求項１に記載の握持を容易にする異軸ペン。
【請求項１０】
前記キャップは、外殻体及び内殻体を備え、該外殻体は中空状を呈し、両端にそれぞれ開口を有し、該内殻体は、外殻体の内部に嵌め込まれ、
前記スタイラス部は中空状を呈し、キャップに向かって外殻体に取り付けられ、一端に開口を有することを特徴とする請求項９に記載の握持を容易にする異軸ペン。
【請求項１１】
衣類のポケットに掛止するために、前記ケースにさらに掛止部材が設けられることを特徴とする請求項７に記載の握持を容易にする異軸ペン。
【請求項１２】
前記末端部にＵＳＢフラッシュドライブが設置され、
前記ケースの握持部に、ＵＳＢフラッシュドライブに対応するＵＳＢソケットが設けられることを特徴とする請求項１１に記載の握持を容易にする異軸ペン。
【請求項１３】
前記少なくとも１つの第１指受け部及び異軸部の異軸突起に湾曲状突出面が設けられることを特徴とする請求項１に記載の握持を容易にする異軸ペン。
【請求項１４】
不規則形状及び中空状を呈するチャックと、
中空状の管体であり、前記チャックに取り付けられ、異軸部と、握持部と、末端部を備え、該異軸部の一端がチャックに組み合わされ、該異軸部における、チャックと反対する他端に異軸突起が設けられ、該握持部は、異軸部の異軸突起の近傍に連接されるように、異軸部と異なる軸線上に設けられ、該末端部は、握持部における、異軸部と反対する一端に取り付けられる、ケースと、
中指が宛がわれるように、前記ケースにおける異軸部と握持部にまたがる位置に少なくとも１つの第２指受け部と、を有し、
前記少なくとも１つの第２指受け部は２つの第２指受け部であり、該２つの第２指受け部がそれぞれ２つの方向に斜めに向かうと共に、互いに組み合わせるように形成されることを特徴とする握持を容易にする異軸ペン。
【請求項１５】
前記ケースの異軸部及び握持部はそれぞれ、組立てにより構成され、
前記異軸部と握持部との間に、少なくとも１つのリングが設置され、該リングに前記第２指受け部が設けられることを特徴とする請求項１４に記載の握持を容易にする異軸ペン。
【請求項１６】
前記少なくとも１つの第２指受け部が凹面であることを特徴とする請求項１４又は１５に記載の握持を容易にする異軸ペン。
【請求項１７】
２つの前記リングを有し、
２つの前記第２指受け部を有し、
該リングに前記第２指受け部が設けられ、該２つの第２指受け部がハート状となるように互いに組み合わされることを特徴とする請求項１５に記載の握持を容易にする異軸ペン。
【請求項１８】
指を宛がえるために、少なくとも１つの第１指受け部が前記異軸部の側壁から突出して離れる方向に斜めに延設されることを特徴とする請求項１４に記載の握持を容易にする異軸ペン。
【請求項１９】
前記少なくとも１つの第１指受け部及び異軸部の異軸突起に湾曲状突出面が設けられることを特徴とする請求項１８に記載の握持を容易にする異軸ペン
【請求項２０】
前記ケースに少なくとも１つの滑り止め部が設置され、該少なくとも１つの滑り止め部は、異軸部と握持部との接触箇所から握持部へ延出するように設けられ、その厚さは、握持部へ行くにつれて次第に厚くなり、幅は、握持部へ行くにつれて次第に広くなることを特徴とする請求項１４乃至１８の何れか１項に記載の握持を容易にする異軸ペン。
【請求項２１】
前記チャックは、先端部及び連接部を備え、該先端部を貫通するように先端開口が形成され、該チャックに突出縁が形成され、該先端開口と連通すると共に突出縁を貫通する挿設穴が形成され、また、該連接部の断面面積が先端部の断面面積よりも大きく、該チャックにフランジが設けられ、
前記ケースの異軸部がフランジに当接するようにチャックの連接部に組み合わされ、該異軸部の壁を貫通するように異軸部の中空部分と連通する固定穴が形成され、
クリップが、着脱可能にチャック及びケースに取り付けられ、固定凸部及び挿設凸部を備え、該固定凸部は、異軸部の固定穴に挿設され、該挿設凸部は、前記クリップにおける、固定凸部と反対する端に設けられ、且つ突出縁の挿設穴に挿設されることを特徴とする請求項１４に記載の握持を容易にする異軸ペン。
【請求項２２】
キャップが、チャックに組み合わされ、チャックを収納するための開口端を備え、該開口端と反対する他端にスタイラス部が設置されることを特徴とする請求項１４に記載の握持を容易にする異軸ペン。
【請求項２３】
前記キャップは、外殻体及び内殻体を備え、該外殻体は中空状を呈し、両端にそれぞれ開口を有し、該内殻体は、外殻体の内部に嵌め込まれ、
前記スタイラス部は中空状を呈し、キャップに向かって外殻体に取り付けられ、一端に開口を有することを特徴とする請求項２２に記載の握持を容易にする異軸ペン。
【請求項２４】
衣類のポケットに掛止するために、前記ケースにさらに掛止部材が設置されることを特徴とする請求項１９に記載の握持を容易にする異軸ペン。
【請求項２５】
前記末端部にＵＳＢフラッシュドライブが設置され、前記ケースの握持部に、ＵＳＢフラッシュドライブに対応するＵＳＢソケットが設けられることを特徴とする請求項１４に記載の握持を容易にする異軸ペン。
【請求項２６】
不規則形状及び中空状を呈するチャックと、
中空状の管体であり、前記チャックに取り付けられ、異軸部と、握持部と、末端部を備え、該異軸部の一端がチャックに組み合わされ、該異軸部における、チャックと反対する他端に異軸突起が設けられ、該握持部は、異軸部の異軸突起の近傍に連接されるように、異軸部と異なる軸線上に設けられ、該末端部は、握持部における、異軸部と反対する一端に取り付けられる、ケースと、
前記ケースにおける異軸部と握持部との接触箇所から握持部へ延出するように設けられ、その厚さは握持部へ行くにつれて次第に厚くなり、幅は握持部へ行くにつれて次第に広くなる、少なくとも１つの滑り止め部を有することを特徴とする握持を容易にする異軸ペン。
【請求項２７】
少なくとも１つの第２指受け部を有し、該少なくとも１つの第２指受け部は、中指が宛がわれるように、ケースにおける異軸部と握持部にまたがる位置に設けられることを特徴とする請求項２６に記載の握持を容易にする異軸ペン。
【請求項２８】
２つの前記第２指受け部を有し、該２つの第２指受け部がそれぞれ２つの方向に斜めに向かうと共に、互いに組み合わせるように形成されることを特徴とする請求項２７に記載の握持を容易にする異軸ペン。
【請求項２９】
前記ケースの異軸部及び握持部はそれぞれ組立てにより構成され、該異軸部と握持部との間に、少なくとも１つのリングが設置され、該リングに前記第２指受け部が設けられることを特徴とする請求項２８に記載の握持を容易にする異軸ペン。
【請求項３０】
前記少なくとも１つの第２指受け部が凹面であることを特徴とする請求項２７乃至２９の何れか１項に記載の握持を容易にする異軸ペン。
【請求項３１】
２つの前記リングを有し、
２つの前記第２指受け部を有し、該リングに前記第２指受け部が設けられ、該２つの第２指受け部がハート状となるように互いに組み合わされることを特徴とする請求項２９に記載の握持を容易にする異軸ペン。
【請求項３２】
指を宛がえるために、少なくとも１つの第１指受け部が前記異軸部の側壁から突出して離れる方向に斜めに延設されることを特徴とする請求項２６または２７に記載の握持を容易にする異軸ペン。
【請求項３３】
前記少なくとも１つの第１指受け部及び異軸部の異軸突起に湾曲状突出面が設けられることを特徴とする請求項３２に記載の握持を容易にする異軸ペン
【請求項３４】
前記チャックは、先端部及び連接部を備え、該先端部を貫通するように先端開口が形成され、該チャックに突出縁が形成され、該先端開口と連通すると共に突出縁を貫通する挿設穴が形成され、また、該連接部の断面面積が先端部の断面面積よりも大きく、該チャックにフランジが設けられ、
前記フランジにケースの異軸部が当接するようにチャックの連接部に組み合わされ、該異軸部の壁を貫通するように異軸部の中空部分と連通する固定穴が形成され、
クリップが、着脱可能にチャック及びケースに取り付けられ、固定凸部及び挿設凸部を備え、該固定凸部は、異軸部の固定穴に挿設され、該挿設凸部は、前記クリップにおける、固定凸部と反対する端に設けられ、且つ突出縁の挿設穴に挿設されることを特徴とする請求項２６に記載の握持を容易にする異軸ペン。
【請求項３５】
キャップが、チャックに組み合わされ、チャックを収納するための開口端を備え、該開口端と反対する他端にスタイラス部が設置されることを特徴とする請求項２６に記載の握持を容易にする異軸ペン。
【請求項３６】
前記キャップは、外殻体及び内殻体を備え、該外殻体は中空状を呈し、両端にそれぞれ開口を有し、該内殻体は、外殻体の内部に嵌め込まれ、
前記スタイラス部は中空状を呈し、キャップに向かって外殻体に取り付けられ、一端に開口を有することを特徴とする請求項３５に記載の握持を容易にする異軸ペン。
【請求項３７】
衣類のポケットに掛止するために、前記ケースにさらに掛止部材が設置されることを特徴とする請求項３２に記載の握持を容易にする異軸ペン。
【請求項３８】
前記末端部にＵＳＢフラッシュドライブが設置され、
前記ケースの握持部に、ＵＳＢフラッシュドライブに対応するＵＳＢソケットが設けられることを特徴とする請求項２６に記載の握持を容易にする異軸ペン。
【発明の詳細な説明】
【技術分野】
【０００１】
本発明は、特に持ちやすい異軸ペンに関するものである。
【背景技術】
【０００２】
既存の異軸ペンは、ペンのケースと芯の先端を異なる軸線上に配置し、該ケースにおける芯の先端近傍に握持部を備え、使用者がその握持部を持って異軸ペンで書く。このような既存の異軸ペンは人間工学的であり、芯の先端が紙と垂直となるように持つことによりスムーズ書くことができる。
【発明の概要】
【発明が解決しようとする課題】
【０００３】
使用する時は、異軸ペンの姿勢を調整し続ける必要があるが、長時間に亘って同じ姿勢を維持することはできないため、書いた字が汚くなってしまう。つまり、使用者が異軸ペンの姿勢に慣れないと共に、正しい持ち方も出来ないことから、既存の異軸ペンを改良する必要があった。
【課題を解決するための手段】
【０００４】
上述した問題を解決するために、本発明の握持を容易にする異軸ペンを開発し、使用者の指を位置させて握持を容易にするメリットを備え、左利きでも右利きでも使用することができる。
【０００５】
上述した目的を達成するために、本発明に係る握持を容易にする異軸ペンは、チャックと、ケースと、少なくとも１つの指受け部を有する。該チャックが不規則形状及び中空状である。該ケースは、中空状の管体であり、チャックに取り付けられ、異軸部と、握持部と、末端部を備え、該異軸部の一端がチャックに組み合わされ、該異軸部における、チャックと反対する他端に異軸突起が設けられ、該握持部は、異軸部の異軸突起の近傍に連接されるように、異軸部と異なる軸線上に設けられ、該末端部は、握持部の異軸部と反対する一端に取り付けられる。該少なくとも１つの指受け部は、異軸部の側壁に斜めに延設される。該少なくとも１つの指受け部及び異軸部の異軸突起に湾曲状突出面が設けられる。
【０００６】
さらに、少なくとも１つの指受け部を有し、該少なくとも１つの指受け部は、ケースにおける異軸部と握持部と接触箇所且つ異軸部の異軸突起と反対する側に設けられることが好ましい。
【０００７】
さらに、少なくとも１つの滑り止め部を有し、該少なくとも１つの滑り止め部は、ケースに設置され、また、異軸部と握持部との接触箇所から握持部へ延出するように設けられ、その厚さは握持部へ行くにつれて次第に厚くなり、幅は握持部へ行くにつれて次第に広くなることが好ましい。
【０００８】
さらに、キャップを有し、該キャップは、チャックに組み合わされ、中空状を呈し、チャックを収納するための開口端を備え、該開口端と反対する他端にスタイラス部が設置されることが好ましい。
【０００９】
さらに、クリップ部材を有し、本発明に係る握持を容易にする異軸ペンは、クリップ部材により衣類のポケットに掛止することができる。該クリップ部材が握持部と末端部との間に設置される。
また、前記末端部にＵＳＢフラッシュドライブ（universal serial bus, ＵＳＢ）が設置され、前記ケースの握持部に、ＵＳＢフラッシュドライブに対応するＵＳＢソケットが設けられることが好ましい。
【発明の効果】
【００１０】
（１）使用者は自然に、指受け部、滑り止め部、指受け部に、人指し指、親指、中指を位置させることが出来ることから、握持姿勢を長時間に亘り維持させることが出来ると共に、ケースの滑りや、指の滑りを防止することも出来るので、異軸ペンを正しく持って字を綺麗に書くことが出来る。そのうち、使用者が人指し指により力を入れて異軸ペンを持つ時、異軸ペンのケースからの反力による親指に滑り止めの効果が生じる。また、既存の異軸ペンを握持する時には、３本の指に同時に力を入れなければならないが、本発明に係る握持を容易にする異軸ペンは、人間工学に基づく構成であると共に、滑り止めの効果にも優れ、更に、両側にそれぞれ指受け部、滑り止め部、指受け部が設置されることから、右利きでも左利きでも使用することができる。
【００１１】
（２）本発明に係る握持を容易にする異軸ペンは、スタイラス部を設置できることから、タッチペンとして使用することができ、普通のスタイラスペンに比べ、持ちやすくて、人間工学的に基づいた構成であり、視界の邪魔を減少することが出来る。
【００１２】
（３）本発明に係る握持を容易にする異軸ペンはさらに、末端部にＵＳＢフラッシュドライブ（universal serial bus, ＵＳＢ）が設置されると共に、ケースの握持部に、ＵＳＢフラッシュドライブに対応するＵＳＢソケットが設けられることから、多機能を有し、また、ＵＳＢフラッシュドライブをパソコンに接続したまま忘れてしまったら、異軸ペンにＵＳＢフラッシュドライブが付いていないことをすぐ分かることから、ＵＳＢフラッシュドライブを取り戻して紛失することを防止できる。
【図面の簡単な説明】
【００１３】
【図１】本発明の第一実施例の分解斜視図である。
【図２】本発明の第一実施例の斜視図である。
【図３】本発明の第一実施例の平面図である。
【図４】本発明の第一実施例の側面視断面図である。
【図５】本発明の第一実施例において、芯を交換する第一操作を示す側面視断面図である。
【図６】図５の部分拡大図である。
【図７】本発明の第一実施例において、芯を交換する第二操作を示す側面視断面図である。
【図８】本発明の第一実施例において、右利きの使用者が使用する状態を示す正面図である。
【図９】本発明の第一実施例において、左利きの使用者が使用する状態を示す正面図である。
【図１０】本発明の第一実施例において、右利きの使用者が使用する状態を示す側面図である。
【図１１】本発明の第一実施例において、左利きの使用者が使用する状態を示す側面図である。
【図１２】本発明の第一実施例において、右利きの使用者が使用する状態を示す平面図である。
【図１３】本発明の第一実施例において、左利きの使用者が使用する状態を示す平面図である。
【図１４】本発明の第二実施例の斜視図である。
【図１５】本発明の第二実施例において、右利きの使用者が使用する状態を示す正面図である。
【図１６】本発明の第二実施例において、左利きの使用者が使用する状態を示す正面図である。
【図１７】本発明の第三実施例の側面図である。
【図１８】本発明の第三実施例の底面図である。
【図１９】本発明の第三実施例において、右利きの使用者が使用する状態を示す正面図である。
【図２０】本発明の第四実施例の底面図である。
【図２１】本発明の第五実施例の底面図である。
【図２２Ａ】本発明の第六実施例における指受け部を示す第一外形図である。
【図２２Ｂ】本発明の第六実施例における指受け部を示す第二外形図である。
【図２２Ｃ】本発明の第六実施例における指受け部を示す第三外形図である。
【図２２Ｄ】本発明の第六実施例における指受け部を示す第四外形図である。
【図２２Ｅ】本発明の第六実施例における指受け部を示す第五外形図である。
【図２２Ｆ】本発明の第六実施例における指受け部を示す第六外形図である。
【図２３】本発明の第七実施例の部分分解斜視図である。
【図２４】図２３の他の部分分解斜視図である。
【図２５】図２３の側面図である。
【図２６】図２４の側面図である。
【図２７】本発明の第七実施例において、右利きの使用者が使用する状態を示す正面図である。
【図２８】本発明の第七実施例において、左利きの使用者が使用する状態を示す正面図である。
【図２９】本発明の第八実施例におけるキャップの底面図である。
【図３０】本発明の第八実施例の側面図である。
【図３１】本発明の第八実施例において、キャップを掛止部材に掛止した状態を示す側面図である。
【図３２】本発明の第八実施例において、掛止部材を一方のスロットに係合させた状態を示す正面図である。
【図３３】本発明の第八実施例において、掛止部材を他方のスロットに係合させた状態を示す正面図である。
【図３４】本発明の第九実施例の部分拡大分解斜視図である。
【図３５】本発明の第九実施例の部分拡大側面断面図である。
【図３６】本発明の第九実施例の部分拡大側面図である。
【図３７】本発明の第十実施例の部分拡大分解側面図である。
【図３８】本発明の第十実施例の部分拡大側面断面図及びその端面断面図である。
【図３９】本発明の第十実施例において、タッチパネルを操作する状態を示す説明図である。
【図４０】本発明の第十実施例において、右利きの使用者がタッチパネルを操作する状態を示す説明図である。
【図４１】本発明の第十一実施例の分解側面断面図である。
【図４２】本発明の第十一実施例の側面断面図である。
【図４３】本発明の第十一実施例において、芯を交換する操作を示す側面断面図である。
【図４４】本発明の第十二実施例の側面図である。
【図４５】本発明の第十三実施例の側面図である。
【図４６】本発明の第十四実施例の側面図である。
【図４７】本発明の第十五実施例の側面図である。
【図４８】本発明の第十六実施例の一部を省略した側面図である。
【図４９】本発明の第十七実施例の側面図である。
【図５０】本発明の第十八実施例の部分分解側面図である。
【図５１】本発明の第十八実施例において、指受け部材を調整する操作を示す底面図である。
【図５２】本発明の第十九実施例において、指受け部材を組み合わせた状態を示す底面図である。
【図５３】本発明の第十九実施例において、指受け部材が離間した状態を示す底面図である。
【図５４】本発明の第二十実施例におけるキャップを示す側面断面図である。
【図５５】本発明の第二十一実施例の部分分解斜視図である。
【図５６】本発明の第二十一実施例の斜視図である。
【図５７】本発明の第二十二実施例の側面図である。
【発明を実施するための形態】
【００１４】
以下、添付図面を参照して本発明の適切な実施の形態を詳細に説明する。
【００１５】
図１乃至図５に示すように、本発明に係る握持を容易にする異軸ペンは、チャック１０と、ケース２０と、クリップ３０と、キャップ４０と、芯５０と、少なくとも１つの指受け部６０を有する。
【００１６】
前記チャック１０は、不規則形状を呈し、先端部１１及び連接部１２を有し、該先端部１１は、先端開口１１１と、突出縁１１２と、挿設穴１１３を備え、そのうち、先端開口１１１は、先端部１１を貫通するように形成され、その内部に芯５０を収納することができ、該突出縁１１２は、先端部１１の外周面に形成され、該挿設穴１１３は、突出縁１１２を貫通するように形成され、該挿設穴１１３における先端開口１１１の近傍に掛け穴１１３１が形成され、該掛け穴１１３１によりクリップ３０が着脱可能に取り付けられる。尚、本実施例においては、挿設穴１１３が先端開口１１１と連通し、該掛け穴１１３１が先端開口１１１と連通するように挿設穴１１３の内壁に形成されることが好ましい。
【００１７】
前記連接部１２の断面面積は、先端部１１の断面面積よりも大きく、該連接部１２における、挿設穴１１３の近傍にフランジ１２１が設けられ、挿設穴１１３と離れた箇所にタブ１２２が延設される。
前記ケース２０は、チャック１０の連接部１２に取り付けられ、一端に開口を有し、他端が封閉した中空状の管体であり、異軸部２１と、握持部２２と、末端部２３を備え、該異軸部２１は、中空状且つ不規則形状を呈し、その一端がフランジ１２１に当接するように連接部１２に組み合わされ、該一端の形状は連接部１２の形状に対応している。
【００１８】
尚、前記の異軸部２１における、チャック１０と反対する他端に異軸突起が設けられると共に、連接部１２に凹部が形成されることにより、該異軸部２１の異軸突起が連接部１２の凹部に嵌め込まれて強固に組み合わされ、一方、異軸部２１に凹部が形成されると共に、連接部１２に異軸突起が設けられることにより、該連接部１２の異軸突起が異軸部２１の凹部に嵌め込まれて強固に組み合わされることが好ましい。
前記異軸部２１は、ノッチ２１１と、固定穴２１２と、異軸突起を備え、そのうち、ノッチ２１１は、異軸部２１の外周面における、挿設穴１１３と対応する箇所に凹設され、該ノッチ２１１にタブ１２２が係合され、該固定穴２１２は、異軸部２１の壁を貫通するようにノッチ２１１に形成され、該異軸突起は、異軸部２１における、チャック１０と反対する側に設けられる。
【００１９】
前記握持部２２は、使用者が握持するために、異軸部２１の異軸突起の近傍に連接され、異軸部２１と異なる軸線上に設けられる。尚、本実施例においては、握持部２２が異軸部２１と一体に成形され、前記握持部２２における、異軸部２１と反対する一端近傍の外周面にネジ山が形成される。
前記末端部２３は、握持部２２における、異軸部２１と反対する一端に取り付けられ、すなわち、該末端部２３の内周面にネジ山が形成され、該末端部２３がネジ山により握持部２２のネジ山に螺合される。
また、他の実施例においては、前記異軸部２１、握持部２２、末端部２３が一体に成形されてもよい。
【００２０】
前記クリップ３０は、細長状を呈し、着脱可能にチャック１０及びケース２０に取り付けられ、固定凸部３１及び挿設凸部３２を備え、該固定凸部３１は、クリップ３０をノッチ２１１に位置させるために、異軸部２１の固定穴２１２に挿設され、該挿設凸部３２は、クリップ３０における、固定凸部３１と反対する端に設けられ、且つ自由端及び非自由端を備え、該自由端の周長が非自由端の周長よりも長く、該非自由端が２つの部分に分けられて圧縮弾性を備え、該挿設凸部３２は、チャック１０に取り付けられ、掛け部３２１を備え、該掛け部３２１は、挿設穴１１３の掛け穴１１３１に挿設される。この構成によれば、チャック１０とケース２０とを強固に結合でき、また、前記クリップ３０の挿設凸部３２近傍の一端を引くとクリップ３０を取外すことができる。
【００２１】
前記キャップ４０は、中空状を呈し、開口端及び封止端を備え、その形状がチャック１０の先端部１１の形状に対応することにより、チャック１０の先端部１１に組み合わされる。また、他の実施例においては、前記キャップ４０の内周面に係合凸部が設けられ、前記先端部１１の外周面に凹部が形成され、該キャップ４０の係合凸部が先端部１１の凹部に嵌め込まれて強固に結合され、更に、前記キャップ４０の内周面に凹部が形成され、前記先端部１１の外周面に突出部が設けられ、該突出部がキャップ４０の凹部に嵌め込まれて強固に結合され、更に、該キャップ４０に凹部４１が凹設され、該凹部４１にクリップ３０の挿設凸部３２近傍の一端が収容される。
【００２２】
図４に示すように、前記芯５０の一端がチャック１０の先端開口１１１から突出すると共に、他端がケース２０の末端部２３に当接するように、チャック１０及びケース２０に貫設される。
【００２３】
図５乃至図７に示すように、前記芯５０を交換する時は、まずキャップ４０をチャック１０から取外し、クリップ３０における挿設凸部３２の近傍の一端を引いて挿設凸部３２の掛け部３２１を掛け穴１１３１から引き出せば、チャック１０をケース２０から取り外すことができる。そして、新たな芯５０を交換した後、チャック１０を、連接部１２を介して再びケース２０の異軸部２１に組み合わせ、クリップ３０の挿設凸部３２を挿設穴１１３に挿し込むことによって、チャック１０をケース２０に組み合わせる。この構成によれば、芯５０の交換をスムーズに行うことができるので、操作上の利便性が高い。
【００２４】
図１乃至図３に示すように、少なくとも１つの指受け部６０は、使用者の人指し指を支えるものであり、異軸部２１の側壁に斜めに延設され、また、該指受け部６０及び異軸部２１の異軸突起に湾曲状突出面が設けられる。尚、本実施例においては、右利きまたは左利きでも使用可能とするように、それぞれ両側に位置する三角形の２つの指受け部６０を有することが好ましい。
また、他の実施例においては、その異軸部２１に１つの指受け部６０しか有しない。
【００２５】
本発明に係る握持を容易にする異軸ペンを使用する時、使用者のペンを持つ習慣によって、右利きの使用者が右手で、左利きの使用者が左手での人指し指を使って指受け部６０に宛がえる。その指受け部６０と異軸部２１との結合方法が上述した実施例に制限されることはない。その指受け部６０は、異軸部２１と一体に成形されると共に、異軸部２１に凸設されてもよく、また、該指受け部６０の外周面に湾曲状突出面が形成されてもよく、すなわち、使用者の人指し指を支えれば、如何なる形で形成されてもよい。
【００２６】
図８、図１０、図１２は、右手で握持を容易にする異軸ペンを握持した状態を示す説明図であり、これからも分かるように、ケース２０の上部を手の親指と人指し指が合流する箇所に固定し、ケース２０の下部を手の親指と人指し指で挟み込むように握持すれば、握持を容易にする異軸ペンをスムーズにコントロールすることができる。また、人指し指は指受け部６０の湾曲突出面に対応するように宛てがわれる。
また、人指し指を指受け部６０に押し付けると（図８に示した矢印の方向）、握持を容易にする異軸ペンからの反力により親指に滑り止めの効果が生じる。
一方、既存の異軸ペンを使用する時は、親指、人指し指、中指に相当な力を入れて異軸ペンを押付けるように握持する必要があるが、本発明に係る握持を容易にする異軸ペンを使用する時は、指を握持を容易にする異軸ペンに軽く押付ければしっかりと握持することができると共に、滑り止めの効果にも優れ、また、指受け部６０を所定の位置に設置することから、人指し指が直接に異軸部２１に接触する必要がない。
【００２７】
図９、図１１、図１３は、左利きの使用者が握持を容易にする異軸ペンを握持した場合の説明図であり、この構成によれば、指を湾曲突出面に押し当てる。
尚、本実施例の握持を容易にする異軸ペンの両側に、２つの指受け部６０が配置されることから、右利きまたは左利きのどちらでも適用できる。
前記クリップ３０がケース２０の異軸部２１の前側に、前記２つの指受け部６０がケース２０の異軸部２１の両側に設置されていることから、右利きでも左利きでもクリップ３０に邪魔されることはない。
【００２８】
図１４に示すように、本発明に係る握持を容易にする異軸ペンはさらに、少なくとも１つの滑り止め部７０を有し、該少なくとも１つの滑り止め部７０は、ケース２０の異軸部２１に設けられ、該滑り止め部７０により親指の発汗時のケース２０に対する滑りを防止する。また、該少なくとも１つの滑り止め部７０は、ケース２０の異軸部２１と握持部２２との接触箇所から握持部２２へ延出するように設けられる。
【００２９】
前記少なくとも１つの滑り止め部７０の厚さは、握持部２２へ行くにつれて次第に厚くなり、幅は、握持部２２へ行く次第に広くなる。また、前記少なくとも１つの滑り止め部７０はそれぞれ台形を呈すると共に、ゴムなどの軟質材料からなり、着脱可能にケース２０に取り付けられる。
また、前記少なくとも１つの滑り止め部７０及びケース２０の結合構造は、例えば、該少なくとも１つの滑り止め部７０に結合凸部が設けられ、該ケース２０に凹部が形成され、該滑り止め部７０の結合凸部がケース２０の凹部に嵌め込まれる構造であってもよく、又は、該滑り止め部７０に凹部が形成され、該ケース２０に結合凸部が設けられ、該ケース２０の結合凸部が滑り止め部７０の凹部に嵌め込まれる構造であってもよく、又は、該少なくとも１つの滑り止め部７０が粘着材によりケース２０に固定されてもよく、又は、該少なくとも１つの滑り止め部７０がケース２０と一体に成形されてもよい。尚、前記少なくとも１つの滑り止め部７０は、複数本のリブ７１を含む。
【００３０】
図１５及び図１６はそれぞれ、右利き及び左利きの使用者が握持を容易にする異軸ペンを握持した状態を示す説明図であり、この実施例では、何れの使い方も、人指し指を指受け部６０の湾曲突出面に宛がうと共に、親指を滑り止め部７０に宛がうように握持を容易にする異軸ペンを握持する。
そのうち、人指し指で指受け部６０を押付けると（図１５及び図１６の下向き矢印）、握持を容易にする異軸ペンが滑り止め部７０により反力を生じる（図１５及び図１６の上向き矢印）。このように、本発明に係る握持を容易にする異軸ペンは、滑り止め部７０が設置され、そこに親指の面の殆どが接触するので、親指がケース２０に対して滑り止め効果を得られる。
【００３１】
図１５及び図１６に示すように、その指受け部６０及び滑り止め部７０はそれぞれ対向する側に設置されることから、持ちやすいと共に、滑り止めの効果も具備している。
【００３２】
図１７乃至図１９に示すように、本発明に係る握持を容易にする異軸ペンはさらに、少なくとも１つの指受け部８０を有し、該少なくとも１つの指受け部８０は、ケース２０における中指と接触する箇所に斜めに設けられると共に、異軸部２１と握持部２２との接触箇所且つ異軸部２１における、異軸突起と反対する側に設けられる。
【００３３】
三角法投影測定により描いた図１８に示すように、前記少なくとも１つの指受け部８０には凹状の表面を有することから、中指を指受け部８０に宛がえるように位置決めることができる。尚、本実施例における少なくとも１つの指受け部８０の数量は１つであり、使用者が右手で握持を容易にする異軸ペンを握持する場合には、その指受け部８０の傾斜方向は、使用者の利き手に合わせて形成されることから、右利きの使用者に適用するものである。
【００３４】
図２０の実施例では、その少なくとも１つの指受け部８０の数量は２つであり、該２つの指受け部８０が交互に設けられ、中指を位置決めるための蝶々の形状を呈している。
また、図２１に示すように、前記少なくとも１つの指受け部８０の数量は、１つであり、該指受け部８０は、ハート状で、中指を宛がえるように位置決めることができる。なお、図２２Ａ乃至図２２Ｆに示すように、前記指受け部８０は、蝶々や、トマト、りんご、コップ、文字模様、ハート、花などの形状であってもよい。一方、他の実施例においては、その指受け部８０が、動物や、植物、日常用品、手紙、服などの形状であってもよく、つまり、その指受け部８０の形状は、必要に応じて自由に変更することができるが、ハート形状を呈し、軟質材料からなる一体成形のものであることが好ましい。
【００３５】
更に、その他の実施例において、その指受け部８０は、着脱可能に握持を容易にする異軸ペンに取り付けられ、その指受け部８０に結合凸部が設けられ、ケース２０に凹部が形成され、該結合凸部がケース２０の凹部に嵌め込まれてもよく、または、該指受け部８０に凹部が形成され、ケース２０に結合凸部が設けられ、その結合凸部が指受け部８０の凹部に嵌め込まれてもよい。
【００３６】
さらに、図２３及び図２４に示すように、その握持部２２の上端における対向する両方に２つの握持部２２が形成され、握持を容易にする異軸ペンをポケットに掛止して携帯しやすくするために、ケース２０にさらに掛止部材９０が設置され、該掛止部材９０は、装着リング９１及びクリップ９２を備え、そのうち、装着リング９１は、円環状を呈し、握持部２２と末端部２３との間に挟設され、すなわち、握持部２２の上部または末端部２３の下部に設置され、その内周面における、握持部２２のスロット２２２と対応する箇所に凸部９１１が設けられる。
【００３７】
右利きまたは左利きの使用者に対応するために、凸部９１１が選択可能に２つのスロット２２２のうちの１つに取り付けられ、前記クリップ９２はベルト状を呈する。
【００３８】
図２５及び図２７に示すように、使用者が右手で握持を容易にする異軸ペンを握持する場合は、凸部９１１が、使用者に対して左側の滑り止め部７０に対応するように、左側のスロット２２２に取り付けられ、反対に、使用者が左手で握持を容易にする異軸ペンを握持する場合は、凸部９１１が、使用者に対して右側の滑り止め部７０に対応するように、右側のスロット２２２に取り付けられる。この構成によれば、使用者がどちらの手で握持を容易にする異軸ペンを握持しても、掛止部材９０が親指から離れることはないと共に、掛止部材９０の位置及び方向を簡単に且つ精確に調整することができる。
【００３９】
図２９乃至図３３に示すように、第八実施例では、キャップ４０の凹部４１にクリップ３０が着脱可能に取り付けられると共に、該凹部４１の幅がシャフト９３の幅と同一であることから、該キャップ４０がチャック１０をカバーしてもよく、掛止部材９０をカバーしてもよい。尚、この構成によれば、そのクリップ９２がキャップ４０の内部に収納されるため、キャップ４０の紛失防止できる。
【００４０】
図３４乃至図３８に示すように、本発明に係る握持を容易にする異軸ペンを多機能にするために、キャップ４０にさらに、導電性材質からなるスタイラス部１００が設置される。
【００４１】
図３４乃至図３６に示すように、前記スタイラス部１００は、連接ユニット１０１によりキャップ４０に取り付けられ、該連接ユニット１０１の一端がキャップ４０の内部に嵌め込まれると共に、該連接ユニット１０１の他端がスタイラス部１００に連結される。この構成によれば、本発明に係る握持を容易にする異軸ペンをタッチペンとして使用することもできる。
【００４２】
図３７及び図３８に示すように、本実施例におけるキャップ４０は、内殻体４２及び外殻体４３を備え、該内殻体４２は、チャック１０に取り付けられ、中空状を呈し、一端に開口端を有すると共に、他端に封止端を有し、ボタン４２１と、連接柱４２２と、細長穴４２３と、少なくとも２つの脇部４２４と、挿設穴を備え、そのうちボタン４２１は、内殻体４２の開口端の近傍に位置するように、内殻体４２の内壁に凸設され、該連接柱４２２は、内殻体４２の封止端から延出するように設置され、該細長穴４２３は、連接柱４２２の軸方向に沿って連接柱４２２を貫通するように形成され、この構成によれば、連接柱４２２は圧縮弾性を備え、該少なくとも２つの脇部４２４は、連接柱４２２における細長穴４２３の近傍に凸設され、その脇部４２４の厚さは、内殻体４２の封止端へ行くにつれて次第に薄くなり、該脇部４２４と内殻体４２の封止端との間に一定の距離を有し、前記外殻体４３は、挿設凸部３２に組み合わされる。
【００４３】
前記外殻体４３は、中空状を呈し、両端にそれぞれ開口が形成され、２本の制限部４３１と、進入口４３２と、連接柱４３３を備え、該２本の制限部４３１は、外殻体４３の内周面に径方向に凸設され、該進入口４３２は、制限部４３１の間に形成され、該制限部４３１の間の隙間は、脇部４２４の最大外径よりも小さく、該連接柱４３３は、外殻体４３における、内殻体４２の挿設穴と対応する箇所に凸設される。
【００４４】
前記スタイラス部１００は、導電性材料からなると共に、中空状を呈し、一端に開口端が、他端に封止端が設けられ、該開口端の内周長は、連接柱４２２の最大周長よりも短く、該スタイラス部１００の外壁に２つの連接ユニット１０１が凹設される。
また、組立てる時は、前記制限部４３１をそれぞれ連接ユニット１０１の内部に設置するため、スタイラス部１００を外殻体４３に装着することができる。前記連接柱４２２が進入口４３２及び細長穴４２３が進入口４３２を通過して制限部４３１に係合される。
【００４５】
更に、前記脇部４２４の厚さは、内殻体４２の封止端へ行くにつれて次第に薄くなるため、連接柱４２２が変形して進入口４３２を通過しやすくなり、また、前記制限部４３１及びスタイラス部１００は、脇部４２４と内殻体４２の底部との間に保持される。
【００４６】
一方、本発明に係る握持を容易にする異軸ペンをタッチペンとして使用する場合は、通常の異軸ペンの持ち方と同様に、異軸部２１の上部を握持する。また、図３９及び図４０に示すように、異軸部２１の底部を握持してもよい。
この構成によれば、ケース２０が、親指と人指し指との合流箇所に位置し、つまり、人指し指が指受け部８０に位置し、中指が指受け部６０に位置する。尚、スタイラス部１００の底面がタッチパネルにピッタリと接触することができ、また、該スタイラス部１００とタッチパネルとの接触面積が小さくしてもよい。
【００４７】
本発明の握持を容易にする異軸ペンは、芯５０を嵌め込めることが出来ると共に、インク補充や鉛筆削りを必要としない複数の替芯を備える、ロケット鉛筆であってもよく、図４１及び図４２に示すように、そのロケット鉛筆は、チャック１０Ａと、ケース２０と、クリップ３０と、複数の芯５０Ａを有し、そのうちチャック１０Ａは、中空状を呈し、区画部１３により第一チャネル１４と第二チャネル１５に区画され、該第一チャネル１４は、異軸部２１及び異軸突起の近傍に形成され、第一凹部１４１と、芯保持部１４２と、止め部１４３を備え、該第一凹部１４１は、チャック１０Ａの外壁に形成され、該芯保持部１４２は、チャック１０Ａの先端部１１に形成され、該止め部１４３は、区画部１３と直交し、且つ第一チャネル１４に伸びるように区画部１３に設けられ、前記第二チャネル１５は、第一チャネル１４の近傍に形成され、押出し部１５１及び制限突起１５２を備え、該押出し部１５１は、芯保持部１４２の近傍に形成され、該制限突起１５２は、異軸部２１に対応するように第二チャネル１５の外壁に設けられる。尚、本実施例においては、ケース２０が第一実施例のケース２０よりもサイズが小さく、その末端部２３の両端にそれぞれ開口端が形成され、該末端部２３における、握持部２２と反対する一端に押込み穴２３１が形成される。
【００４８】
前記ケース２０はさらに、芯ケース２４を備え、該芯ケース２４は、第二チャネル１５と連通するようにケース２０の内部に設置され、その両端にそれぞれ開口端を有し、内周面に２つのブロック２４１が凸設される。前記クリップ３０は、殆ど第一実施例のクリップ３０と同じである。また、前記芯５０Ａはそれぞれ芯ケース２４の内部に設置され、その各芯５０Ａの外径は、芯ケース２４の内径よりもやや長く、それらの芯５０Ａが一直線に排列するように順に嵌め込まれる。そのうち、最前の芯５０Ａをブロック２４１に接触するように位置させる。該各芯５０Ａの外径が押込み穴２３１の大径箇所の内径よりも少し大きいので、芯５０Ａを押込み穴２３１から末端部２３に嵌め込んで装着することが出来る。
【００４９】
更に、前記各芯５０Ａの外径は、芯保持部１４２の最大内径よりも大きいことから、芯５０Ａを芯保持部１４２に位置決めて保持することができるので、チャック１０Ａを、クリップ３０及び制限突起１５２により芯ケース２４に取り付けることができる。
【００５０】
図４３に示すように、芯５０Ａを交換する時は、芯保持部１４２から芯５０Ａを取外してから押込み穴２３１から芯ケース２４に押し込めば、すべての芯５０Ａが前方の押出し部１５１へ向って移動すると同時に、先頭の芯５０Ａが押出し部１５１から押出されるので、該芯５０Ａを芯保持部１４２に装着すれば、握持を容易にする異軸ペンを使用することができる。つまり、芯５０Ａを交換する時には、クリップ３０及びケース２０を取外す必要がないので、操作が非常に便利且つ簡単である。
尚、そのロケット鉛筆を持ちやすくするために、第一実施例と同様に、指受け部６０と、滑り止め部７０と、指受け部８０を設置することが好ましい。
【００５１】
図４４に示すように、２つの指受け部６０はそれぞれ、ケース２０の両側に設けられる。
図４５に示すように、２つの指受け部６０及び２つの滑り止め部７０はそれぞれ、ケース２０の両側に設けられる。
図４６に示すように、２つの指受け部６０はそれぞれ、ケース２０の両側に設けられると共に、指受け部８０がケース２０に形成される。
図４７に示すように、２つの指受け部６０及び２つの滑り止め部７０はそれぞれ、ケース２０の両側に設けられると共に、指受け部８０がケース２０に形成される。
図４８に示すように、２つの指受け部６０はそれぞれ、ケース２０の両側に設けられると共に、掛止部材９０がケース２０の握持部２２と末端部２３との間に設置される。
【００５２】
図４９に示すように、指受け部６０と、滑り止め部７０と、指受け部８０と、掛止部材９０を有すると共に、キャップ４０の底部にさらにスタイラス部１００が取り付けられ、必要に応じて、指受け部６０、滑り止め部７０、指受け部８０をケース２０の一側または両側に設けてもよい。
つまり、前記指受け部６０、滑り止め部７０、指受け部８０は、必要に応じて、例えば、ケース２０の両側に設けてもよく、右利きまたは左利きの使用者に応じるために、ケース２０の一側に設けてもよい。
【００５３】
前記実施例における、指受け部８０、握持部２２、異軸部２１は、一体成形でもよく、それぞれ組立てて構成してもよい。
図５０及び図５１に示すように、その握持部２２Ａ、異軸部２１Ａ、指受け部６０はそれぞれ、取外して分解することができ、つまり、該握持部２２Ａ及び異軸部２１Ａは、螺合柱２１０及びネジ穴（図示せず）により互いに組み合わされ、該螺合柱２１０は、異軸部２１または握持部２２に設けられ、その外径は異軸部２１の外径よりも小さい。
【００５４】
図５１に示すように、指受け部材８０Ａはリング８１Ａに設けられ、該リング８１Ａは、回転可能に螺合柱２１０に環装され、使用時は、リング８１Ａを螺合柱２１０に対して回転させれば、指受け部材８０Ａの位置を調整することができる。
【００５５】
さらに、図５２に示すように、２つの指受け部８０Ｂ及び指受け部８０Ｃが互いに組み合わせることによりハート状とし、また、互いに離間させれば、ブロークンハートの形状とすることも可能であり、使用者の好みによって指受け部８０Ｂ、指受け部８０Ｃを調整することができる。
【００５６】
キャップ４０Ａの他の側面断面図である図５４に示すように、軟質のプラスチックのスタイラス部１００Ａは、連接柱４２２Ａ及び外殻部４３Ａに接着されてもよく、前記の構造と異なっても構わない。この構成によれば、スタイラス部１００Ａに連接柱４２２Ａを挿設させるための穴が形成されることから、スタイラス部１００Ａが、スタイラス部１００Ａに作用する力による変形することを防止できる。
【００５７】
図５５及び図５６に示すように、末端部２３ＢにＵＳＢフラッシュドライブ２３０Ｂ（universal serial bus, ＵＳＢ）が設置され、握持部２２Ｂにおける末端部２３Ｂ端に２つの保持凸部２２３Ｂが設けられ、保持凸部２２３Ｂの間にＵＳＢソケット２２４Ｂが設けられ、掛止部材９０Ａが装着リング９１Ａにより保持凸部２２３Ｂに取り付けられ、該装着リング９１Ａの内周面に、２つの対応凹部９１０Ａが軸方向に凹設され、該ＵＳＢフラッシュドライブ２３０Ｂが保持凸部２２３Ｂとの間に位置すると共に、掛止部材９０Ａの対応凹部９１０Ａに嵌め込まれる。この構成によれば、携帯しやすく、紛失し難い、ＵＳＢ付きの握持を容易にする異軸ペンを提供することができる。
なお、図５７に示すように、チャック１０S、ケース２０S、異軸部２１Ｓは、３Ｄプリンターで一体成形されてもよい。その芯５０Ｓをケース２０Ｓに嵌め込むことが出来る。
【符号の説明】
【００５８】
１０           チャック
１１           先端部
１１１         先端開口
１１２         突出縁
１１３         挿設穴
１２           連接部
１２１         フレンジ
２０           ケース
２１           異軸部
２１２         固定穴
２２           握持部
２３、２３Ｂ   末端部
２３０Ｂ       ＵＳＢフラッシュドライブ
２２４Ｂ       ＵＳＢソケット
３０           クリップ
３１           固定凸部
３２           挿設凸部
４０           キャップ
４２           内殻体
４３           外殻体
６０           指受け部
７０           滑り止め部
８０、８０Ａ   指受け部
８１Ａ         リング
９０           掛止部材
１００         スタイラス部
【図１】
0006552610.tif 000002
【図２】
0006552610.tif 000003
【図３】
0006552610.tif 000004
【図４】
0006552610.tif 000005
【図５】
0006552610.tif 000006
【図６】
0006552610.tif 000007
【図７】
0006552610.tif 000008
【図８】
0006552610.tif 000009
【図９】
0006552610.tif 000010
【図１０】
0006552610.tif 000011
【図１１】
0006552610.tif 000012
【図１２】
0006552610.tif 000013
【図１３】
0006552610.tif 000014
【図１４】
0006552610.tif 000015
【図１５】
0006552610.tif 000016
【図１６】
0006552610.tif 000017
【図１７】
0006552610.tif 000018
【図１８】
0006552610.tif 000019
【図１９】
0006552610.tif 000020
【図２０】
0006552610.tif 000021
【図２１】
0006552610.tif 000022
【図２２Ａ】
0006552610.tif 000023
【図２２Ｂ】
0006552610.tif 000024
【図２２Ｃ】
0006552610.tif 000025
【図２２Ｄ】
0006552610.tif 000026
【図２２Ｅ】
0006552610.tif 000027
【図２２Ｆ】
0006552610.tif 000028
【図２３】
0006552610.tif 000029
【図２４】
0006552610.tif 000030
【図２５】
0006552610.tif 000031
【図２６】
0006552610.tif 000032
【図２７】
0006552610.tif 000033
【図２８】
0006552610.tif 000034
【図２９】
0006552610.tif 000035
【図３０】
0006552610.tif 000036
【図３１】
0006552610.tif 000037
【図３２】
0006552610.tif 000038
【図３３】
0006552610.tif 000039
【図３４】
0006552610.tif 000040
【図３５】
0006552610.tif 000041
【図３６】
0006552610.tif 000042
【図３７】
0006552610.tif 000043
【図３８】
0006552610.tif 000044
【図３９】
0006552610.tif 000045
【図４０】
0006552610.tif 000046
【図４１】
0006552610.tif 000047
【図４２】
0006552610.tif 000048
【図４３】
0006552610.tif 000049
【図４４】
0006552610.tif 000050
【図４５】
0006552610.tif 000051
【図４６】
0006552610.tif 000052
【図４７】
0006552610.tif 000053
【図４８】
0006552610.tif 000054
【図４９】
0006552610.tif 000055
【図５０】
0006552610.tif 000056
【図５１】
0006552610.tif 000057
【図５２】
0006552610.tif 000058
【図５３】
0006552610.tif 000059
【図５４】
0006552610.tif 000060
【図５５】
0006552610.tif 000061
【図５６】
0006552610.tif 000062
【図５７】
0006552610.tif 000063